(57)【特許請求の範囲】
【請求項１】
機器本体(１)に傾動して飛び出し可能に設けたモニター(２)及び該モニター(２)に対するフード(３)を具えたモニター付き機器であって、
前記モニター(２)は基端が前記機器本体(１)に回転可能に支持され、
前記フード(３)は該フード（３）内から前記モニター(２)が外側に飛び出すことを防止する当り部(３０)を備えるとともに前記モニター（２）自体にモニターに対してスライド又は回転して外側に飛び出し可能に取り付けられ、
前記機器本体(１)内に前記フード(３)の格納空間(１０)が設けられており、
前記モニター(２)が格納状態の時、前記フード(３)を前記格納空間(１０)に格納できるモニター付き機器。
【請求項２】
前記フード(３)には前記機器本体(１)に配備したロック部材(４)に係脱する掛り部(３８)が設けられており、前記フード(３)を前記機器本体(１)内に格納した状態で前記ロック部材(４)と前期掛り部(３８)が係合して、前記フード(３)がロックされる請求項１に記載のモニター付き機器。
【発明の詳細な説明】
【０００１】
【発明の属する分野】
本発明は、機器本体に飛び出し可能に設けたモニターにフードを設け、該フードをモニターと一緒に機器本体に格納できるデジタルカメラ等のモニター付き機器に関するものである。
【０００２】
【従来の技術及び発明が解決しようとする課題】
デジタルカメラは、カメラ背面に設けた液晶モニターを見ながら撮影することが多い。
但し、屋外での撮影では、液晶モニターに外光が映り込んでモニターの画像が見難くなる。この問題を解消するために、モニターを囲む様にしてフードを設けることが実施され、フードを機器本体に格納できるものも提案されている(例えば、特開平１１−１４９１０５号)。
他方、液晶モニターが回転して機器本体から飛び出す様に配備されたデジタルカメラも提案されている。これは、撮影時のカメラの高さ位置が撮影者の目の高さよりも高くなっても、液晶モニターを見易い角度に設定できる様にするためである。
【０００３】
但し、この飛び出し角度調整可能な液晶モニターに対して、該モニターの角度変更に追従出来、且つ機器本体内に格納可能なフードを具えたデジタルカメラ及びこれに類する機器は存在しなかった。
本発明は、モニターと一緒に回転して機器本体から飛出し可能なモニターにフードを具えると共に、該フードをモニターと一緒に機器本体に格納できるモニター付き機器を明らかにするものである。
【０００４】
【課題を解決する手段】
本発明は、機器本体(１)に傾動して飛び出し可能に設けたモニター(２)及び該モニター(２)に対するフード(３)を具えたモニター付き機器であって、モニター(２)は基端が機器本体(１)に回転可能に支持され、フード(３)は該モニター自体にモニターに対してスライド又は回転して外側に飛び出し可能に取り付けられ、機器本体(１)内にフード(３)の格納空間(10)が設けられている。
【０００５】
【作用及び効果】
機器本体(１)に格納したフード(３)を飛び出させると、フード(３)がモニター(２)を囲んでモニターよりも外側に突出し、モニター(２)への外光の映り込みが防止されて、モニターの画面が見易くなる。
機器の高さ位置と目の高さ位置が違う場合、モニター(２)を機器本体(１)から飛び出させ、モニター(２)の角度を変えることによってモニター(２)の画面を見易くできる。
フード(３)は、機器本体(１)に取り付けられているのではなく、モニター(２)自体にスライド又は回転可能に取り付けられているため、機器本体(１)からモニター(２)を飛び出させても、飛び出し位置のモニター(２)に対して、更にフード(３)は外側に突出しており、モニター(２)に対する外光の映り込みを効果的に防止できる。
モニター(２)を機器本体(１)に格納できるのは勿論のこと、フード(３)も機器本体(１)のフード格納空間(10)に格納できるので、機器本体(１)を携帯するのに、フード(３)が邪魔になることはない。
【０００６】
第１実施例(図１乃至図３)
第１実施例は、機器本体(１)に回転して飛び出し可能に配備されたモニター(２)に対し、該モニター(２)の画面と直交する方向にスライド可能にフード(３)を取り付けたものである。
図１に示す如く、機器本体(１)はデジタルカメラ本体(以下、「本体」)であって、上面にシャッターボタン(11)、モード切替スイッチ(12)及び格納位置のフード(３)のロックを解除するロック解除片(42)が設けられ、前面にレンズ(13)が設けられ、本体(１)の一端側は電池ボックス(16)となっている。
【０００７】
本体(１)内にて、レンズ(13)の後方位置に固体撮像素子(14)が配備され、本体(１)の背面の固体撮像素子(14)との対応位置にモニター(２)が配備されている。
モニターの輪郭に対応して本体(１)の背面に、フード(３)の本体(１)内への浸入を許す隙間が形成され、図３ｂに示す如く、該隙間に対応し且つ固体撮像素子(14)を囲んでフード格納空間(10)が形成されている。
【０００８】
モニター(２)は、液晶パネル、有機エレクトロルミネッセンスパネル等、薄型の電子表示パネルを用いたものである。
モニター(２)の下端は、本体(１)の背面に突設したブラケット(18)に回転可能に支持され、且つ、ストッパ(図示せず)によって回転角度が規制され、本体(１)内に倒れ込んだり、本体(１)から一定の角度以上外側に倒れない。
本実施例では、モニター(２)の格納状態とは、図１ａ、図２ａに示す如く、モニター(２)が本体(１)の外側にて、本体(１)の背面と平行となる様に起立した状態のことである。
【０００９】
フード(３)は、モニター(２)を囲んで天井壁(31)、両側板(32)(32)を有しており、後部開口に矩形の当り枠(30)を具えている。
フード(３)は、モニター(２)の回転枢支部をかわして、必要に応じて底壁を設けることもできる。
フード(３)の両側板(32)(32)には、前後方向に延びる２条の平行長孔(36)(36)が開設され、モニター(２)の両側縁に突設した突片(21)(21)が、長孔(36)(36)にスライド可能に嵌まっている。
上記側板(32)(32)の後端には長孔(36)(36)の終端との対応位置に突片(35)(35)が突設され、該突片(35)とモニター(２)に突設した突片(21)との間に圧縮バネ(37)を配備し、モニター(２)に対してフード(３)を飛び出し方向に付勢している。
フード(３)の両側板(32)(32)の内端に、内向き掛り部(38)(38)が設けられている。
【００１０】
本体(１)内に、フード(３)に対するロック部材(４)が上下にスライド可能に配備される。
ロック部材(４)は、フード(３)をバネ(37)に抗して本体(１)内に押し込んで格納した状態に保持するものであって、固体撮像素子(14)を跨ぐ様にコ字状に形成され、両端が本体(１)の掛り部(38)(38)に係脱可能なロック片(41)(41)となり、前記フード収容空間(10)の奥に位置している。ロック片(41)(41)の中央部に前記ロック解除片(42)が本体(１)の上面を貫通して突設されている。
ロック部材(４)は、バネ(図示せず)によって下向きに付勢されている。
【００１１】
然して、図１ａ、図２ａ、図３ａに示す如く、本体(１)にモニター(２)及びフード(３)を格納した状態において、ロック解除片(42)を上向きに引っ張ると、ロック部材(４)が上昇して、該部材両端のロック片(41)(41)とフード(３)の掛り部(38)(38)の係合が外れ、フード(３)は、バネ(37)によって本体(１)から後方へ飛び出す(図１ｂ、図２ｂ)。
これによって、モニター(２)の後方へフード(３)の天井壁(31)及び側板(32)(32)が張り出し、モニター(２)への外光の映り込みが防止されて、モニターの画面が見易くなる。
【００１２】
デジタルカメラを目の高さよりも高くして撮影する場合、図１ｃ、図２ｃ、図３ｃに示す如く、フード(３)を後方に突出させたまま、モニター(２)を回転させて、仰角に対応してモニター後傾させる。
モニター(２)の後傾角度の保持は、モニターの回転軸(19)とブラケット(18)の摩擦抵抗によって可能となっている。
【００１３】
フード(３)を本体(１)に押し込むと、押し込み途上でフード(３)の当り部(30)がモニター(２)を押圧してモニター(２)を格納位置に戻し、フード(３)自体は本体(１)のフード格納空間(10)に格納される(図１ａ、図２ａ、図３a)。
フード(３)が格納空間(10)に格納される直前に、フード(３)の掛り部(38)(38)は、待機するロック部材(４)のロック片(41)(41)に当たって弾性変形して該ロック片(41)(41)をかわし、掛り部(38)(38)がロック片(41)(41)を越えた瞬間、弾性復帰してロック片(41)(41)と係合する。これによってフード(３)は格納状態にロックされる。
モニター(２)も、フード(３)の当り部(30)によって格納状態に保持される。
即ち、フード(３)及びロック部材(４)は、モニター(２)を格納保持する手段を兼ねている。
【００１４】
第２実施例(図４乃至図６)
第２実施例は、上記第１実施例のモニター(２)に対して、フード(３)を回転可能に取り付けたものである。
本体(１)は、第１実施例と同様であるが、背面にモニター(２)を格納する格納凹部(17)を設け、該格納凹部(17)の底面に、フード(３)の本体(１)内への浸入を許す隙間が形成され、該隙間に対応し且つ固体撮像素子を囲んで本体(１)内にフード格納空間が形成されている。
モニター(２)は下端が上記格納凹部(17)の下部に枢支(22)されて、該格納凹部(17)から、矢印Ａで示す如く、後傾して飛び出し可能に配備されている。
モニター(２)の後傾角度の保持は、枢支部(22)の摩擦力によって可能となっている。
【００１５】
フード(３)は、モニター(２)を囲んで天井壁(31)及び扇形の両側板(32)(32)を有しており、側板(32)(32)の基端がモニター(２)の下部両側面に枢支されている。該枢支部(39)に配備したトーションバネ(図示せず)によって、フード(３)はモニター(２)に対して、外側に飛び出す方向に付勢されている。
フード(３)の一方の側板(32)に、枢支部(39)を曲率中心とする円弧溝孔(32a)及び孔状の掛り部(38)を開設している。
図６に示す如く、円弧溝孔(32a)には、モニター(２)の側面に突設した突片(22)がスライド可能に嵌まっており、モニター(２)に対するフード(３)の回転角度が規制されている。
【００１６】
本体(１)の背面には、掛り部(38)が係脱可能なロック部材(４)が左右にスライド可能に配備され、バネ(図示せず)によって内向きに付勢されている。
【００１７】
然して、図４に示す如く、モニター(２)及びフード(３)を本体(１)に格納した状態で、ロック部材(４)を矢印Ｂに示す如く、外側にスライドさせると、該ロック片(４)とフード(３)の掛り部(38)との係合が外れて、図５に示す如く、フード(３)がトーションバネの付勢力で、枢支部(39)を中心に後方に飛び出す。
フード(３)の円弧溝孔(32a)の奥端がモニター(２)の突片(22)に当たって、フード(３)のモニター(２)に対する飛び出し角度が規制される。
フード(３)よって、モニター(２)への外光の映り込みが防止される。
【００１８】
図６に示す如く、枢支部(39)を中心にモニター(２)を後傾させてることが出来る。モニター(２)の後傾角度調整は、夫々の枢支部(39)の回転摩擦によって可能である。
【００１９】
フード(３)及びモニター(２)を本体(１)に押し込むと、モニター(２)は格納凹部(17)に格納され、フード(３)は本体(１)に開設した隙間から本体(１)内の格納空間へ格納される。バネによって内向きに付勢されているロック部材(４)は、自動的にフード(３)の掛り部(38)に係合して、フード(３)を格納状態にロックできる。
このとき、モニター(２)の突片(22)は、フード(３)の円弧溝孔(32a)の後端に当たって、外側へ飛び出すことを防止される。即ち、モニター(２)はフード(３)によって格納位置にロックされる。
【００２０】
上記の如く、本体(１)に格納したフード(３)を飛び出させると、モニター(２)への外光の映りこみが防止されて、モニターの画面が見易くなる。
デジタルカメラと目の高さ位置が違う場合、モニター(２)を回転させて本体(１)から引っ張り出し、モニター(２)の角度を変えることよって見易くできる。
フード(３)は、本体(１)に直接に取り付けられているのではなく、モニター自体にスライド又は回転可能に取り付けられているため、本体からモニター(２)を飛び出させても、飛び出し位置のモニター(２)に対して、外光の映りこみをなくす様に、モニター(２)に対してフード(３)を飛び出させて使用できる。
モニター(２)を本体に格納すれば、フード(３)も本体に格納できるため、デジタルカメラを携帯するのに、フード(３)が邪魔になることはない。
【００２１】
フード(３)の格納空間(10)を本体(１)内の固体撮像素子(14)を囲む様に設けることによって、フード(３)と固体撮像素子(14)の干渉を避け、且つ、デジタルカメラの大型化を避けることができる。
【００２２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である
。
例えば、本体(１)の背面に一端を枢支して回動可能に支持部材(図示せず)を設け、該支持部材の自由端にモニター(２)を回動可能に取り付け、本体(１)に対してモニター(２)の上向き角度或いは下向き角度を調節できる様にすることも可能である。
【図面の簡単な説明】
【図１】ａ図は、本体にモニター及びフードを格納した状態の斜面図、ｂ図は、フードを飛び出させた状態の斜面図、ｃ図は、モニターを後傾した状態の斜面図である。
【図２】ａ図は、本体にモニター及びフードを格納した状態の側面図、ｂ図は、フードを飛び出させた状態の側面図、ｃ図は、モニターを後傾した状態の側面図である。
【図３】ａ図は、モニター及びフードを格納した状態の横断面図、ｂ図は、フードを飛び出させた状態の横断面図てである。
【図４】第２実施例において、モニター及びフードを格納した状態の斜面図である。
【図５】同上のフードが飛び出した状態の斜面図である。
【図６】同上において、モニターが後傾した状態の斜面図である。
【符号の説明】
(１)  機器本体
(２)  モニター
(３)  フード
(４)  ロック片
【図１】
0004086549.tif 000002
【図２】
0004086549.tif 000003
【図３】
0004086549.tif 000004
【図４】
0004086549.tif 000005
【図５】
0004086549.tif 000006
【図６】
0004086549.tif 000007